(57)【要約】【課題】温度設定ダイヤルを有する温度設定表示装置において、温度設定時以外は、温度設定ダイヤルを回しても温度を設定できないようにする。【解決手段】表面に、モード選択ボタン１３と表面に凸部１４３を設けた温度設定ダイヤル１４と温度設定ボタン１５と表示部１６を設けた温度設定表示装置１において、セットボタン１５を温度設定ダイヤル１４とを片手で同時に操作できる位置に近接して配置し、セットボタン１５を押しながら温度設定ダイヤル１４を回すことによって温度設定を可能とし、モードを選択することによって複数の温度を設定できるようにした。【選択図】        図１
2005070844.tif 000002
【特許請求の範囲】
【請求項１】
装置の表面に、温度設定ダイヤルと温度設定ボタンと表示部を設けた温度設定表示装置において、
セットボタンを温度設定ダイヤルとを片手で同時に操作できる位置に近接して配置したことを特徴とする温度設定表示装置。
【請求項２】
温度設定ダイヤルの表面に凸部を設けたことを特徴とする請求項１記載の温度設定表示装置。
【請求項３】
セットボタンを押しながら温度設定ダイヤルを回すことによって温度設定が可能となるようにした請求項１または請求項２記載の温度設定表示装置。
【請求項４】
モード選択ボタンを設け、モードを選択することによって複数の温度を設定できるようにしたことを特徴とする請求項１ないし請求項３のいずれか１項に記載の温度設定表示装置。
【発明の詳細な説明】
【０００１】
【発明の属する技術分野】
本発明は、空気調和機、冷凍機、暖房機等に組み込まれて使用される温度設定表示装置に係り、特に設定温度を数字で表示するとともに、誤操作し難くした温度設定表示装置に関する。
【０００２】
【従来の技術】
この種の空気調和機、冷凍機、暖房機等に組み込まれて使用される温度設定表示装置（デジタルサーモスタット）は、空気調和機や冷凍機では圧縮機を駆動するモータの動作温度および停止温度を設定し、暖房機ではヒータの電源を投入する動作温度および電源を遮断する停止温度を設定する装置である。
【０００３】
従来の温度設定表示装置は、表面パネルに表示部と、温度設定ダイヤル等を設け、温度設定ダイヤルを回すことによって、温度を設定している（例えば、特許文献１参照）。このような温度設定表示装置では、温度を所望の設定値とした後、誤って温度設定ダイヤルを回す場合があり、この場合には誤った設定温度に変更されてしまうという問題を生じることがあった。
【特許文献１】
特開平７‐１１０５６０号公報
【０００４】
【発明が解決すべき課題】
本発明は、上記問題を解決するもので、温度設定ダイヤルを有する温度設定表示装置において、温度設定時以外は、温度設定ダイヤルを回しても温度を設定できないようにすることを目的とする。
【０００５】
【課題を解決するための手段】
上記課題を解決するために、本発明は、装置の表面に、温度設定ダイヤルと温度設定ボタンと表示部を設けた温度設定表示装置において、セットボタンを温度設定ダイヤルとを片手で同時に操作できる位置に近接して配置した。
【０００６】
また、本発明は、温度設定ダイヤルの表面に凸部を設けるとともに、セットボタンを押しながら温度設定ダイヤルを回すことによって温度設定が可能となるようにした。
【０００７】
さらに、本発明は、モード選択ボタンを設け、モードを選択することによって複数の温度を設定できるようにした。
【０００８】
【発明の実施の形態】
上記課題を解決する本発明にかかる温度設定表示装置における第１の実施例の構成を、図１〜図３を用いて説明する。図１は、第１の実施の実施例にかかる温度設定表示装置の正面図、図２はその底面図、図３はその左側面図である。この温度設定表示装置は、例えば部屋の壁面にケース部が埋め込まれ表面パネル部分が室内に露出して使用される。
【０００９】
温度設定表示装置１は、表面パネル１１の中央付近に設けた操作表示部１２と、操作表示部に設けたモード選択ボタン１３、温度設定ダイヤル１４、セットボタン１５と表示部１６と、ケース１７とを有して構成される。表示部１６には、例えばＬＥＤからなる数字表示部１６１とモード表示部１６２が設けられている。
【００１０】
この発明においては、温度設定ダイヤル１４は、操作表示部１２の範囲内に配置されており、操作者が温度設定ダイヤル１４の上面を指の腹で触れて回すように構成されている。さらに、温度設定ダイヤル１４の左側にセットボタン１５が配置され、温度設定ダイヤル１４とセットボタン１５の下端が概略同じ高さになる位置に配置されている。温度設定ダイヤル１４の上方にモード選択ボタン１３が配置され、温度設定ダイヤル１４とモード選択ボタン１３の右端が縦方向に略揃うように配置されている。
【００１１】
本発明においては、モード選択ボタン１３を押して設定モードなどを選択した後、セットボタン１５を例えば左手の親指で押しながら人差し指の腹で温度設定ボタン１４の上面に触れて回し、数字表示部１６１に表示される温度が目的の値となったときにセットボタン１５から親指を離し押し下げを止めることによって、設定動作が行われる。上記のような温度設定ダイヤル１４とセットボタン１５の配置は、両者を片手で同時に操作できる位置に近接して配置することとなる。
【００１２】
本発明では、温度設定ダイヤル１４のみを回しても設定温度が変更されず、温度設定ボタン１５を押し下げながら温度設定ボタン１４を回すことによって始めて温度を設定することができるように構成されているので、温度設定後誤って温度設定ダイヤル１４を回しても設定温度が変更されることがなくなる。
【００１３】
本発明では、温度設定ダイヤル１４の上面に指の腹で触れて回すので、滑らないようにするために工夫がなされている。すなわち、温度設定ダイヤル１４は、周囲から中央へ向けて下る斜面１４１を有しており、さらに、中央には円形のふくらみ１４２を有している。また、中央に設けたふくらみ１４２の裾から周囲へ向けて複数の凸条１４３が放射状に設けられている。
【００１４】
表示部１６は、温度設定ダイヤル１４の左上方に設けられており、温度設定操作時にも操作者の手によってじゃまされずに表示温度を読み取れるようにされている。
【００１５】
このような構成を有する温度設定表示装置の操作の例を、図４を用いて説明する。通常の状態で、設定値を確認するには、モード選択ボタン１３を押すたびに表示部１６のモード表示部１６２の表示が「ＤＩＳＰ」→「ＯＦＦ」→「ＯＮ」に切り替わり、数字表示部１６１にそれぞれの設定温度等が表示される。
【００１６】
表示部１６には現在温度が表示されている（Ｓ１）状態で、省エネ表示の有無またはＯＮ温度もしくはＯＦＦ温度を設定する場合には、温度を設定しようとする操作者が、モード設定ボタン１３を押す（Ｓ２）と、モード表示部１６２の「ＤＩＳＰ」のＬＥＤが点灯し、省エネ表示設定時には、数字表示部１６１の表示が「−−−」または「８８８」とされる（Ｓ３）。省エネ表示の有無を変更する場合には、セットボタン１５を押しながら温度設定ボタン１４を右または左に回す（Ｓ４）ことによって、省エネ表示ありまたは省エネ表示なしのいずれかに設定される（Ｓ５）。
【００１７】
次いで、モード選択ボタン１３を押す（Ｓ６）と、モード表示部１６２の「ＯＦＦ」のＬＥＤが点灯し、現在のＯＦＦ温度設定値が表示される（Ｓ７）。ＯＦＦ温度設定値を変更するときには、セットボタン１５を押しながら温度設定ボタン１４を右または左に回す（Ｓ８）ことによって、ＯＦＦ温度設定値が変更され、表示部１６に表示された温度を目視しながら望みの温度が表示されたときに、セットボタン１５から指を離すとこの温度が新しいＯＦＦ設定値として設定される（Ｓ９）。
【００１８】
さらに、モード選択ボタン１３を押す（Ｓ１０）と、モード表示部１６２の「ＯＮ」のＬＥＤが点灯し、現在のＯＮ温度設定値が表示される（Ｓ１１）。ＯＮ温度設定値を変更するときには、セットボタン１５を押しながら温度設定ボタン１４を右または左に回す（Ｓ１２）ことによって、ＯＮ温度設定値が変更され、表示部１６に表示された温度を目視しながら望みの温度が表示されたときに、セットボタン１５から指を離すとこの温度が新しいＯＮ設定値として設定される（Ｓ１３）。
【００１９】
上記操作において、数字表示部１６１のＬＥＤは、設定変更中には、点滅表示される。
【００２０】
本実施の形態では、モード選択ボタン１３、温度設定ダイヤル１４、セットボタン１５の操作を止めると３秒後に運転モードに移行する。
【００２１】
このようにして、設定された温度設定値は、温度設定ダイヤル１４のみをまわしても変更されることがなく誤操作を防止することができる。
【００２２】
図５を用いて、本発明の第２の実施例を説明する。この実施例は、温度設定ダイヤル１４の形状を変えた点が、第１の実施例と異なっている。底面図および左側面図は第１の実施例の場合と略同様なので、その表示と説明を省略する。すなわち、本実施例の温度設定ダイヤル１４は、周辺部に環状の帯状部１４４を設け、帯状部１４４上に所望の間隔で複数個の突起１４５を設けた点に特徴を有している。この突起１４５の一つの突起１４６が、他の突起と形状を変えられることによって、温度設定ダイヤルの中央点を知ることができる。
【００２３】
図６〜図８を用いて、本発明の第３の実施例を説明する。図６は、第３の実施の実施例にかかる温度設定表示装置の正面図、図７はその底面図、図８はその左側面図である。この実施例は、表面１１、操作表示部１２、温度設定ダイヤル１４の形状を変えるとともに、モード選択ボタン１３の配置を変えた点が、第１の実施例と異なっている。すなわち、操作表示部１２が表面パネル１１から高く突出して設けられるとともに、モード選択ボタン１３がセットボタン１５の左側に並べて設けられ、温度設定ダイヤル１４が、操作表示部１２の上に高く突出して設けられている。温度設定ダイヤル１４は、上面に所望の間隔で複数個の突起１４７を設けている。
【００２４】
図９〜図１１を用いて、本発明の第４の実施例を説明する。図９は第４の実施例にかかる温度設定表示装置の正面図、図１０はその底面図、図１１はその左側面図である。
【００２５】
温度設定表示装置１は、表面パネル１１の中央付近に設けた操作表示部１２と、操作表示部に設けたモード選択ボタン１３、温度設定ダイヤル１４、セットボタン１５と表示部１６と、ケース１７とを有して構成される。表示部１６には、数字表示部１６１と、モード表示部１６２が設けられている。温度設定ダイヤル１４は、一部が操作表示部１２からはみ出して配置されており、操作者がダイヤルの側面を指で触れて回すこともできるように構成されている。
【００２６】
以上のように、本発明にかかる、温度設定表示装置によれば、誤操作を防止することができる。
【００２７】
【発明の効果】
以上のように、本発明は、セットボタンを押しながら温度設定ダイヤルを回して温度を設定することによって、温度設定が可能となるようにしたので、温度設定後に誤って温度設定ダイヤルをまわしても、設定値が変更されることがなくなり、誤操作を防止することができる。
【００２８】
さらに、本発明は、温度設定ダイヤルとセットボタンを片手で同時に操作できるように近接して配置したので、簡単に温度設定することができる。
【図面の簡単な説明】
【図１】本発明の第１の実施例にかかる温度設定表示装置の構造を説明する正面図。
【図２】図１の温度設定表示装置の底面図。
【図３】図１の温度設定表示装置の左側面図。
【図４】図１の温度設定表示装置の操作を説明する図。
【図５】本発明の第２の実施例にかかる温度設定表示装置の構造を説明する正面図。
【図６】本発明の第３の実施例にかかる温度設定表示装置の構造を説明する正面図。
【図７】図６の温度設定表示装置の底面図。
【図８】図６の温度設定表示装置の左側面図
【図９】本発明の第４の実施例にかかる温度設定表示装置の構造を説明する正面図。
【図１０】図９の温度設定表示装置の底面図。
【図１１】図９の温度設定表示装置の左側面図。
【符号の説明】
１  温度設定表示装置
１１  正面パネル
１２  操作表示部
１３  モード選択ボタン
１４  温度設定ダイヤル
１４１  傾斜面
１４２  ふくらみ
１４３  突条
１４４  環状帯状部
１４５  突起
１４６  突起（中央値しるし）
１５  セットボタン
１６  表示部
１６１  数字表示部
１６２  モード表示部
１７  ケース
【図１】
2005070844.tif 000003
【図２】
2005070844.tif 000004
【図３】
2005070844.tif 000005
【図４】
2005070844.tif 000006
【図５】
2005070844.tif 000007
【図６】
2005070844.tif 000008
【図７】
2005070844.tif 000009
【図８】
2005070844.tif 000010
【図９】
2005070844.tif 000011
【図１０】
2005070844.tif 000012
【図１１】
2005070844.tif 000013